(57)【要約】【課題】検知部材が保証位置状態における検知突起部の塑性変形を抑制するコネクタを提供すること。【解決手段】メスハウジング５は、挿入方向と直交する幅方向において、ＣＰＡ部材８と対向する一対のガイドレール５２３、５２３を有する。ＣＰＡ部材８は、各ガイドレール５２３，５２３にそれぞれ対応し、かつガイドレール５２３，５２３の下方向側に位置する一対の規制部８５，８５と、を有する。一対の規制部８５，８５は、メスハウジング５に対してＣＰＡ部材８が初期位置と嵌合保証位置との間を移動する検知部材移動状態において、一対のガイドレール５２３，５２３にそれぞれ接触することで、弾性変形した状態においてＣＰＡロック部が上方向の移動が規制され、メスハウジング５に対してＣＰＡ部材８が嵌合保証位置に位置した保証位置状態において、一対のガイドレール５２３，５２３による上方向の移動の規制が解除される。【選択図】図１２
2020177758.tif 000002
【特許請求の範囲】
【請求項１】
外周面から突出して形成された係止突起部を有する第一コネクタハウジングと、
前記第一コネクタハウジングの内部に収容される１以上の第一端子と、
前記第一コネクタハウジングと嵌合し、嵌合状態において前記係止突起部を乗り越えて、前記係止突起部よりも第一方向側に位置することで、前記係止突起部により係止され、係止状態となる被係止部を有する第二コネクタハウジングと、
前記第二コネクタハウジングの内部に収容され、前記嵌合状態において対応する前記第一端子と接続される１以上の第二端子と、
前記第二コネクタハウジングに支持されることで、前記係止状態において少なくとも初期位置から嵌合保証位置に移動自在である検知部材と、
備え、
前記第二コネクタハウジングは、
第一方向と直交する幅方向において、前記検知部材と対向する一対のガイドレールを有し、
前記検知部材は、
前記第二コネクタハウジングに対する前記初期位置から前記嵌合保証位置への移動に伴って、第一方向および幅方向と直交する上下方向のうち、上方向への弾性変形により前記係止突起部を乗り越え、前記係止突起部よりも第一方向と反対方向である第二方向側に位置する検知突起部と、
各前記ガイドレールにそれぞれ対応し、かつ前記ガイドレールの下方向側に位置する一対の規制部と、
を有し、
前記一対の規制部は、
嵌合状態において、前記第二コネクタハウジングに対して前記検知部材が前記初期位置と前記嵌合保証位置との間を移動する検知部材移動状態において、前記一対のガイドレールにそれぞれ接触することで、弾性変形した状態において前記検知突起部が上方向の移動が規制され、
前記第二コネクタハウジングに対して前記検知部材が前記嵌合保証位置に位置した保証位置状態において、前記一対のガイドレールによる上方向の移動の規制が解除される、
ことを特徴とするコネクタ。
【請求項２】
請求項１に記載のコネクタにおいて、
前記第二コネクタハウジングは、収容されている前記検知部材の上方向に位置する天井部が形成されており、
前記検知部材は、前記保証位置状態において、前記天井部の第一方向側の接触端部と接触し、
幅方向から見た場合において、
前記接触端部と、前記保証位置状態における前記規制部の第二方向側における端部との距離Ｌと、
幅方向から見た場合において、前記接触端部と、前記ガイドレールの第一方向側の端部との距離Ｌｈと、
がＬ＞Ｌｈである、
コネクタ。
【発明の詳細な説明】
【技術分野】
【０００１】
本発明は、コネクタに関する。
【背景技術】
【０００２】
ワイヤハーネス等に適用される従来のコネクタとして、例えば、特許文献１には、オスコネクタと、メスコネクタと、メスコネクタの外側にスライド可能に取り付けられた検知部材としてのＣＰＡ部材とを備えたＣＰＡコネクタが開示されている。ＣＰＡコネクタは、メスハウジングに対してオスハウジングを挿入することで、オスハウジングの係止突起部と離間突起部との間にメスハウジングの被係止部が入り込み、被係止部が係止状態となり、メスコネクタに対してオスコネクタが嵌合される。さらに、係止状態において、メスハウジングに支持されたＣＰＡ部材を初期位置から嵌合保証位置まで移動させることで、ＣＰＡ部材の検知突起部が弾性変形することで、係止突起部、被係止部を順に乗り越え、離間突起部に到達する。
【先行技術文献】
【特許文献】
【０００３】
【特許文献１】国際公開第２０１０／０３２０８８号
【発明の概要】
【発明が解決しようとする課題】
【０００４】
ここで、検知突起部は、ＣＰＡ部材が嵌合保証位置まで移動した保証位置状態において、離間突起部と接触した状態で弾性変形をしている。通常、コネクタの嵌合状態を解除する機会はあまりないため、検知突起部は弾性変形状態を維持することとなる。従って、コネクタの嵌合状態を解除する場合において、検知部材を嵌合保証位置から挿入方向と反対方向の抜去方向に移動させることで、弾性変形状態から開放しても、塑性変形、すなわち永久変形が発生する。
【０００５】
本発明は、上記に鑑みてなされたものであって、検知部材が保証位置状態における検知突起部の塑性変形を抑制するコネクタを提供することを目的とする。
【課題を解決するための手段】
【０００６】
上述した課題を解決し、目的を達成するために、本発明におけるコネクタは、外周面から突出して形成された係止突起部を有する第一コネクタハウジングと、前記第一コネクタハウジングの内部に収容される１以上の第一端子と、前記第一コネクタハウジングと嵌合し、嵌合状態において前記係止突起部を乗り越えて、前記係止突起部よりも第一方向側に位置することで、前記係止突起部により係止され、係止状態となる被係止部を有する第二コネクタハウジングと、前記第二コネクタハウジングの内部に収容され、前記嵌合状態において対応する前記第一端子と接続される１以上の第二端子と、前記第二コネクタハウジングに支持されることで、前記係止状態において初期位置から嵌合保証位置に移動自在である検知部材と、備え、前記第二コネクタハウジングは、第一方向と直交する幅方向において、前記検知部材と対向する一対のガイドレールを有し、前記検知部材は、前記第二コネクタハウジングに対する前記初期位置から前記嵌合保証位置への移動に伴って、第一方向および幅方向と直交する上下方向のうち、上方向への弾性変形により前記係止突起部を乗り越え、前記係止突起部よりも第一方向と反対方向である第二方向側に位置する検知突起部と、各前記ガイドレールにそれぞれ対応し、かつ前記ガイドレールの下方向側に位置する一対の規制部と、を有し、前記一対の規制部は、嵌合状態において、前記第二コネクタハウジングに対して前記検知部材が前記初期位置と前記嵌合保証位置との間を移動する検知部材移動状態において、前記一対のガイドレールにそれぞれ接触することで、弾性変形した状態において前記検知突起部が上方向の移動が規制され、前記第二コネクタハウジングに対して前記検知部材が前記嵌合保証位置に位置した保証位置状態において、前記一対のガイドレールによる上方向の移動の規制が解除される、ことを特徴とする。
【０００７】
また、上記コネクタにおいて、前記第二コネクタハウジングは、収容されている前記検知部材の上方向に位置する天井部が形成されており、前記検知部材は、前記保証位置状態において、前記天井部の第一方向側の接触端部と接触し、幅方向から見た場合において、前記接触端部と、前記保証位置状態における前記規制部の第二方向側における端部との距離Ｌと、幅方向から見た場合において、前記接触端部と、前記ガイドレールの第一方向側の端部との距離Ｌｈと、がＬ＞Ｌｈである、ものである。
【発明の効果】
【０００８】
本発明によれば、検知部材が保証位置状態において、一対の規制部に対する一対のガイドレールによる上方向の移動の規制が解除されるので、検知突起部が弾性変形状態から弾性復帰することができ、検知部材が保証位置状態における検知突起部の塑性変形を抑制することができる。
【図面の簡単な説明】
【０００９】
【図１】図１は、実施形態におけるＣＰＡコネクタを示す斜視図である。
【図２】図２は、実施形態におけるオスコネクタを示す斜視図である。
【図３】図３は、実施形態におけるオスコネクタを示す断面図である。
【図４】図４は、実施形態におけるメスコネクタを示す分解斜視図である。
【図５】図５は、実施形態におけるメスコネクタの断面図である。
【図６】図６は、実施形態におけるメスコネクタの断面図である。
【図７】図７は、実施形態におけるメスコネクタの背面図である。
【図８】図８は、実施形態におけるＣＰＡ部材の斜視図である。
【図９】図９は、実施形態におけるＣＰＡコネクタの嵌合説明図（初期位置）である。
【図１０】図１０は、実施形態におけるＣＰＡコネクタの嵌合説明図（初期位置）である。
【図１１】図１１は、実施形態におけるＣＰＡコネクタの嵌合説明図（嵌合保証位置）である。
【図１２】図１２は、実施形態におけるＣＰＡコネクタの嵌合説明図（嵌合保証位置）である。
【図１３】図１３は、実施形態におけるＣＰＡコネクタの嵌合説明図（仮係止位置）である。
【図１４】図１４は、実施形態におけるＣＰＡコネクタの嵌合説明図（仮係止位置）である。
【発明を実施するための形態】
【００１０】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１１】
［実施形態］
図１は、実施形態におけるＣＰＡコネクタを示す斜視図である。図２は、実施形態におけるオスコネクタを示す斜視図である。図３は、実施形態におけるオスコネクタを示す断面図である。図４は、実施形態におけるメスコネクタを示す分解斜視図である。図５は、実施形態におけるメスコネクタの断面図である。図６は、実施形態におけるメスコネクタの断面図である。図７は、実施形態におけるメスコネクタの背面図である。図８は、実施形態におけるＣＰＡ部材の斜視図である。なお、図１はオスコネクタおよびメスコネクタをそれぞれ構成する各要素を組み合わせた状態を表し、図４はメスコネクタを構成する各要素を分解した状態を表している。また、図３は図１のＡ−Ａ断面図であり、図５は図１のＢ−Ｂ断面図、図６は図１のＣ−Ｃ断面図である。
【００１２】
図１〜図８（図９〜図１４も含む）のＸ方向は、本実施形態におけるＣＰＡコネクタ１の挿抜方向であり、オスコネクタＭＣおよびメスコネクタＦＣの前後方向である。Ｙ方向は、挿入方向と直交し、本実施形態におけるＣＰＡコネクタ１の幅方向である。Ｚ方向は、挿入方向および幅方向と直交し、本実施形態におけるＣＰＡコネクタ１の上下方向である。Ｘ１方向は第二方向であり、挿入方向であり、Ｘ２方向は第一方向であり、抜去方向である。Ｙ１方向は左方向で、Ｙ２方向は右方向である。Ｚ１方向は上方向で、Ｚ２方向は下方向である。以下の説明で用いる各方向は、特に断りのない限り、各部が相互に組み付けられた状態での方向を表すものとする。
【００１３】
本実施形態のＣＰＡコネクタ１は、例えば、自動車等に使用されるワイヤハーネスＷＨ等に適用されるコネクタである。ここでは、ＣＰＡコネクタ１は、図１に示すように、ワイヤハーネスＷＨを構成する電線Ｗ１と電線Ｗ２とを接続する電線対電線接続用の接続機構であり、例えば、エアバック回路において用いられる。ここで、電線Ｗ１，Ｗ２は、例えば、複数の導電性の金属素線を撚り合わせた導体部（芯線）と、当該導体部の外側を覆う絶縁性の被覆部とを含んで構成される。ＣＰＡコネクタ１は、オスコネクタＭＣと、メスコネクタＦＣとを備え、オスコネクタＭＣとメスコネクタＦＣとが相互に嵌合しコネクタ接合されることで、それぞれが備えるオス端子３と、メス端子６とが電気的に接続され、相互間に電気的な接続部位が形成されている。なお、電線Ｗ１，Ｗ２は、オス端子３およびメス端子６にそれぞれ接続され、防水部材が、電線Ｗ１，Ｗ２の外周と、オスハウジング２の端子挿入室および後述するメスハウジング５の端子挿入室とのそれぞれの間に介在し、防水性を確保する。
【００１４】
オスコネクタＭＣは、第一コネクタであり、図１〜図３に示すように、ワイヤハーネスＷＨを構成する電線Ｗ１の末端に接続されるオス型のコネクタである。オスコネクタＭＣは、オスハウジング２と、オス端子３と、フロントフォルダ４とを備える。
【００１５】
オスハウジング２は、第一コネクタハウジングであり、オス側のコネクタハウジングであり、絶縁性の合成樹脂材等によって形成されている。オスハウジング２は、オス端子３を収容するものであり、本体部２１と、オス側リブ２２と、オスビーク２３と、離間突起部２４とを有する。
【００１６】
本体部２１は、挿入方向側が閉塞された略長円筒状に形成されており、内部に嵌合空間部２ａが形成されている。嵌合空間部２ａは、本体部２１の挿入方向側端部に形成された開口により外部と連通し、メスコネクタＦＣのメスハウジング５が嵌合する空間部である。本体部２１は、フロントフォルダ４を介して、嵌合空間部２ａ内にオス端子３の先端部（挿入方向側端部）が露出するようにしてオス端子３を保持する。
【００１７】
オス側リブ２２は、本体部２１の外周面から突出して、挿抜方向に延在して形成されている。本実施形態におけるオス側リブ２２は、本体部２１の外周面に幅方向において対向する位置に一対形成されており、オスコネクタＭＣおよびメスコネクタＦＣのコネクタ嵌合時に、メスハウジング５の後述する一対の支持溝部５４にそれぞれ挿入され、上下方向においてオスハウジング２に対してメスハウジング５を支持する。
【００１８】
オスビーク２３は、係止突起部であり、本体部２１の外周面から突出して形成されている。本実施形態におけるオスビーク２３は、本体部２１の外周面のうち、上方向側の面において、幅方向における略中央部、かつ、挿抜方向における挿入方向側端部の近傍に形成されている。オスビーク２３は、幅方向から見た場合において、上方向における面である上面２３ａを挟んで挿抜方向において対向する面のうち、挿入方向側の面である被乗り越え面２３ｂが下方向に向かうに伴って挿入方向側に突出する傾斜面に形成され、抜去方向側の面である係止面２３ｃが上下方向と平行（略平行を含む）に形成されている。オスビーク２３は、上面２３ａが平坦、本実施形態では挿抜方向と平行に形成されている。オスビーク２３は、メスハウジング５の後述するメスビーク５３を挿抜方向側において係止するものであり、係止状態においてメスビーク５３が挿入方向に移動することを規制するものである。ここで、オスビーク２３は、上面２３ａが後述する係止状態において、メスビーク５３の上面５３ｂよりも上下方向において下方向側に形成されている。
【００１９】
離間突起部２４は、本体部２１の外周面から突出して形成されている。離間突起部２４は、本体部２１の外周面のうち、上方向側の面において、幅方向における略中央部、かつ、挿抜方向においてオスビーク２３と対向し、オスビーク２３よりも抜去方向側にオスビーク２３と離間して形成されている。離間突起部２４は、上下方向から見た場合において、抜去方向側に開口が形成されたＵ字状に形成されている。離間突起部２４は、幅方向から見た場合に、上方向における面である上面２４ａを挟んで挿抜方向において対向する面のうち、挿入方向側の立設面２４ｂが上下方向と平行（略平行を含む）に形成され、抜去方向側の面である離脱側面２４ｃが下方向に向かうに伴って抜去方向側に突出する傾斜面に形成されている。離間突起部２４は、上面２４ａが平坦、本実施形態では挿抜方向と平行に形成されている。ここで、離間突起部２４は、上面２４ａが後述する係止状態において、メスビーク５３の上面５３ｂと一直線状に形成されている。
【００２０】
オス端子３は、第一端子であり、メス端子６に挿入されることで、メス端子６と電気的に接続されるものであり、オスハウジング２の内部に１以上収容、本実施形態では幅方向に複数配列されて収容されている。オス端子３は、コネクタ用のオス型の端子金具であり、図１および図３に示すように、電線Ｗ１の末端に接続され全体が導電性の金属によって構成される。オス端子３は、オスハウジング２に保持された状態で挿抜方向に沿って延在する。オス端子３は、フロントフォルダ４と挿抜方向において対向し、先端部（タブ）がフロントフォルダ４から嵌合空間部２ａに突出し、反対側の端部（抜去方向側の端部）に電線Ｗ２が接続される。ここで、端子挿入室は、挿抜方向に延在して形成され、挿入方向側端部が嵌合空間部２ａと連通し、本体部２１の抜去方向側端部に形成された開口により外部と連通する。オス端子３は、本体部２１の抜去方向側端部に形成されている端子挿入室と連通する開口から挿抜方向に沿って端子挿入室に挿入されて、図示しないランスにより係止されることで、フロントフォルダ４を介して先端部が嵌合空間部２ａ内に露出した状態で、オスハウジング２に保持される。
【００２１】
フロントフォルダ４は、図２および図３に示すように、オスハウジング２の挿入方向側に取り付けられるものである。フロントフォルダ４は、オスハウジング２の嵌合空間部２ａに挿入されて、図示しない係止構造によりオスハウジング２に対して係止されることで、オスハウジング２に保持される。フロントフォルダ４は、挿入方向側端部において、挿抜方向において対向する各オス端子３にそれぞれ対応して開口が形成されており、各開口から各オス端子３の先端部が嵌合空間部２ａに突出する。
【００２２】
メスコネクタＦＣは、第二コネクタであり、図１および図４〜図７に示すように、ワイヤハーネスＷＨを構成する電線Ｗ２の末端に接続されるメス型のコネクタである。メスコネクタＦＣは、メスハウジング５と、メス端子６と、フロントフォルダ７と、ＣＰＡ部材８と、防水パッキン９とを備える。
【００２３】
メスハウジング５は、第二コネクタハウジングであり、メス側のコネクタハウジングであり、オスハウジング２と嵌合するものであり、絶縁性の合成樹脂材等によって形成されている。メスハウジング５は、オス端子３が接続されるメス端子６を収容するものであり、オスハウジング２が嵌合空間部５ａに挿入され、オスハウジング２と嵌合可能なものである。メスハウジング５は、本体部５１と、ロックアーム５２と、メスビーク５３と、支持溝部５４と、一対の規制突起部５５と、を有する。
【００２４】
本体部５１は、抜去方向側が閉塞された略長円筒状に形成されており、一部がフロントフォルダ７とともに嵌合空間部２ａに挿入されるとともに、オスハウジング２の一部を挿入することで、オスハウジング２と嵌合する部分である。本体部５１は、内部に、嵌合空間部５ａと、ＣＰＡ部材移動空間部５ｂとが形成されている。本体部５１は、内側本体部５１１と、外側本体部５１２と、天井部５１３とを有する。
【００２５】
内側本体部５１１は、挿抜方向から見た場合に、矩形形状に形成され、挿抜方向に沿って延在している。内側本体部５１１は、フロントフォルダ７を介して、メス端子６を保持する。内側本体部５１１は、メス端子６に対応する端子挿入室が形成されている。端子挿入室は、挿抜方向に延在して形成され、内側本体部５１１の挿抜方向における両端部に形成された開口により外部と連通し、メス端子６が挿抜方向に沿って、挿入方向側の開口から挿入されて、保持される空間部である。本実施形態における端子挿入室は、メスハウジング５に設けられる複数のメス端子６の数に応じて、内側本体部５１１の内部に幅方向に複数形成されている。
【００２６】
外側本体部５１２は、挿抜方向に沿って挿入方向側が閉塞された略長円筒状に形成されており、内部に嵌合空間部５ａが形成されている。外側本体部５１２は、挿入方向側端部において内側本体部５１１と連結、本実施形態では一体に形成されている。外側本体部５１２は、幅方向における両端部が幅方向において離間し、かつ上方向側に突出して形成されている。天井部５１３と連結、本実施形態では一体に形成されている。外側本体部５１２の幅方向における両端部は、挿抜方向の両端部に形成された開口により外部と連通するとともに、天井部５１３を除く、挿入方向側端部の上方向側に形成された外部と連通して形成されている。嵌合空間部５ａは、外側本体部５１２の抜去方向側端部に形成された開口により外部と連通し、オスコネクタＭＣのオスハウジング２が嵌合する空間部である。
【００２７】
天井部５１３は、メスハウジング５に収容されているＣＰＡ部材８の上方に位置するものである。本実施形態における天井部５１３は、板状に形成されている。天井部５１３は、外側本体部５１２の幅方向における両端部とともにＣＰＡ部材移動空間部５ｂを形成する。ＣＰＡ部材移動空間部５ｂは、ＣＰＡ部材８が挿入され、ＣＰＡ部材８を挿抜方向に移動自在に支持する空間部である。ここで、天井部５１３は、挿抜方向から見た場合に、ＣＰＡ部材８と対向して形成されている。つまり、ＣＰＡ部材８がメスハウジング５に対して抜去方向に移動すると、天井部５１３の挿入方向側の接触端部５１３ａがＣＰＡ部材８と接触し、ＣＰＡ部材８が抜去方向に移動することを規制する。ここで、天井部５１３は、ＣＰＡ部材８が嵌合保証位置に位置した保証位置状態において、接触端部５１３ａがＣＰＡ部材８と接触するように形成されている。
【００２８】
ロックアーム５２は、本体部５１に対してメスビーク５３を上下方向において離間した状態で支持するものである。ロックアーム５２は、第１アーム部５２１と、第２アーム部５２２と、一対のガイドレール５２３，５２３を備える。第１アーム部５２１は、上下方向から見た場合において、挿入方向側が開放するＵ字状に形成されている。第１アーム部５２１は、挿入方向側の両端部が内側本体部５１１と連結され、ロックアーム５２を本体部５１に対して弾性変形可能に支持する。第１アーム部５２１は、抜去方向側端部の幅方向における中央部に、メスビーク５３が形成されている。従って、第１アーム部５２１は、上下方向に弾性変形することで、メスビーク５３を内側本体部５１１に対して上下方向に移動可能に支持している。第２アーム部５２２は、上下方向から見た場合に、抜去方向側が開放するＵ字状に形成されている。第２アーム部５２２は、抜去方向側の両端部（幅方向における２つの端部）が第１アーム部５２１の抜去方向側の両端部とそれぞれ連結されている。第２アーム部５２２の幅方向における両端部には、それぞれガイドレール５２３，５２３が外側に突出して形成されている。
【００２９】
一対のガイドレール５２３，５２３は、幅方向においてＣＰＡ部材８と対向するものであり、メスハウジング５に対するＣＰＡ部材８の挿抜方向における移動を支持するものである。ガイドレール５２３は、挿入方向側が挿抜方向に沿って形成され、抜去方向側が傾斜（抜去方向に向かうにともない、下方向に向う）して形成されている。また、ガイドレール５２３の挿入方向側の端部には、幅方向における外側に突出するレール突出部５２４が形成されている。レール突出部５２４は、ＣＰＡ部材８がメスハウジング５に対して挿入方向に移動することで、ＣＰＡ部材８と接触し、ＣＰＡ部材８が挿入方向に移動することを規制する。ここで、一対のガイドレール５２３，５２３は、ロックアーム５２に形成されているため、第１アーム部５２１および第２アーム部５２２が上下方向に弾性変形することで、移動可能である。
【００３０】
メスビーク５３は、被係止部であり、オスハウジング２に対してメスハウジング５が挿入方向に挿入され、嵌合した嵌合状態で、オスビーク２３を上方向において乗り越えて、挿抜方向においてオスビーク２３と離間突起部２４との間に入り込み、オスビーク２３および離間突起部２４により、挿抜方向に係止されるものである。メスビーク５３は、オスビーク２３により挿抜方向において係止されることで係止状態となる。本実施形態におけるメスビーク５３は、ロックアーム５２の抜去方向側端部において下方向に突出して形成されている。メスビーク５３は、幅方向から見た場合において、挿抜方向における両端部のうち、抜去方向側端部に乗り越え面５３ａが形成されている。本実施形態における乗り越え面５３ａは、上下方向における両面のうち上面５３ｂと上下方向において対向し、下方向に向かうに伴って挿入方向側に凹む傾斜面に形成されている。上面５３ｂは、挿抜方向と平行に形成されている。メスビーク５３は、挿抜方向における両端部のうち、挿入方向側端部に上面５３ｂと連続する案内面５３ｃが形成されている。案内面５３ｃは、挿抜方向から見た場合に、オスビーク２３の上面２３ａから突出し、かつ、上方向に向かうに伴って抜去方向側に突出する傾斜面に形成されている。案内面５３ｃは、抜去方向側端部が上面５３ｂの挿入方向側端部と連続して形成されている。
【００３１】
支持溝部５４は、嵌合空間部５ａ内において挿抜方向に沿って形成され、一対のオス側リブ２２にそれぞれ対応して複数形成されている。
【００３２】
一対の規制突起部５５は、初期位置におけるＣＰＡ部材８が乗り上げることで、ＣＰＡ部材８の挿入方向の移動を規制するものである。一対の規制突起部５５は、外側本体部５１２の幅方向における両端部のうち、上方向側端部で、かつ、挿入方向側端部にそれぞれ形成されている。規制突起部５５は、内側、すなわちＣＰＡ部材移動空間部５ｂ側にそれぞれ突出して形成されている。
【００３３】
メス端子６は、第二端子であり、オス端子３が挿入されることで、オス端子３と電気的に接続されるものであり、メスハウジング５の内部に１以上収容、本実施形態では幅方向に複数配列されて収容されている。メス端子６は、コネクタ用のメス型の端子金具であり、図４および図５に示すように、電線Ｗ２の末端に接続され全体が導電性の金属によって構成される。メス端子６は、メスハウジング５に保持された状態で挿抜方向に沿って延在する。メス端子６は、先端部がフロントフォルダ７と挿抜方向において対向し、先端部と反対側の端部（挿入方向側の端部）に電線Ｗ２が接続される。メス端子６には、内側本体部５１１の挿入方向側端部に形成されている開口から挿抜方向に沿って端子挿入室に挿入されて、図示しないランスにより係止されることで、メスハウジング５に保持される。メス端子６は、挿入空間部が形成されている。挿入空間部は、挿抜方向に延在して形成され、メス端子６の抜去方向側に形成された開口により外部と連通し、オス端子３の先端部が挿抜方向に沿って挿入されて、保持される空間部である。
【００３４】
フロントフォルダ７は、図１、図４〜図６に示すように、メスハウジング５の一部が挿入空間部７ａに挿入され、メス端子６の抜去方向への移動を規制するものである。フロントフォルダ７は、内側本体部５１１の抜去方向側端部に取り付けられるものであり、内側本体部５１１の抜去方向側に覆い被さるものである。
【００３５】
ＣＰＡ部材８は、オスハウジング２とメスハウジング５とが完全に嵌合したことを検知するための検知部材であり、いわゆるＣＰＡ（Ｃｏｎｎｅｃｔｏｒ  Ｐｏｓｉｔｉｏｎ  ａｓｓｕｒａｎｃｅ：嵌合保証機能）を実現するための部材である。ＣＰＡ部材８は、メスハウジング５のＣＰＡ部材移動空間部５ｂに挿入されるものであり、メスハウジング５に対して挿抜方向に相対移動可能にメスハウジング５に支持されている。ＣＰＡ部材８は、嵌合状態（係止状態）において、メスハウジング５に対して初期位置から嵌合保証位置、嵌合保証位置から仮係止位置まで、挿抜方向に移動することができる。ここで、初期位置とは、嵌合状態において、メスハウジング５に対してＣＰＡ部材８が挿入方向側端部まで移動した位置であり、本実施形態ではＣＰＡ部材８が規制突起部５５に乗り上げている状態である。また、嵌合保証位置とは、嵌合状態において、メスハウジング５に対してＣＰＡ部材８が抜去方向端部まで移動した位置であり、後述するＣＰＡロック部８３が挿抜方向において離間突起部２４と対向する位置である。仮係止位置とは、嵌合状態および被嵌合状態において、メスハウジング５に対してＣＰＡ部材８が挿入方向側端部まで移動した位置であり、本実施形態ではＣＰＡ部材８が規制突起部５５に乗り上げていない状態である。
【００３６】
ＣＰＡ部材８は、絶縁性の合成樹脂材等によって形成され、図１、図４〜図８に示すように、本体部８１と、ロックアーム８２と、ＣＰＡロック部８３と、リブ８４と、一対の規制部８５とを有する。
【００３７】
本体部８１は、上下方向から見た場合において、抜去方向側が開放されているＵ字形状に形成されている。本体部８１は、挿抜方向から見た場合においても、下方向側が開放されているＵ字形状に形成されており、下方向に延在する一対の脚部８１ａ、８１ａが形成されている。本体部８１は、挿入方向側端部が上方向側に突出して形成されており、操作面が形成されている。
【００３８】
ロックアーム８２は、本体部８１に対してＣＰＡロック部８３を上下方向において弾性変形自在に支持するものである。ロックアーム８２は、板状部材であり、挿抜方向における両端部のうち、挿入方向側端部が本体部８１に対して上下方向において弾性変形自在に連結されている。
【００３９】
ＣＰＡロック部８３は、検知突起部であり、係止状態においてＣＰＡ部材８の初期位置から嵌合保証位置への移動に伴って、オスビーク２３、メスビーク５３を順に乗り越えて、嵌合保証位置で離間突起部２４と挿抜方向において対向するものである。ＣＰＡロック部８３は、ロックアーム８２の挿抜方向における両端部のうち、抜去方向側端部に形成されている。本実施形態におけるＣＰＡロック部８３は、ロックアーム８２の上下方向における両面のうち下面８２ａの抜去方向側端部から下方向側に突出して形成されている。
【００４０】
リブ８４は、ロックアーム８２の下面８２ａから下方向に突出して形成されるものである。リブ８４は、ＣＰＡロック部８３に連続して形成されている。本実施形態におけるリブ８４は、下面８２ａのうち、幅方向における中央部から下方向に突出して形成されており、抜去方向側の端部がＣＰＡロック部８３の抜去方向側端部と連結されている。リブ８４は、幅方向から見た場合に、下方向側の面が、ＣＰＡロック部８３の下方向側の面と一体に形成されている。
【００４１】
一対の規制部８５，８５は、一対のガイドレール５２３，５２３にそれぞれ対応し、かつガイドレール５２３の下方向側に位置し、ＣＰＡ部材８をメスハウジング５に対して支持するものである。一対の規制部８５，８５は、本体部８１の幅方向における両端部にそれぞれ形成されている。本実施形態における一対の規制部８５，８５は、各脚部８１ａ，８１ａにそれぞれ形成されている。規制部８５は、内側、すなわちロックアーム８２側にそれぞれ突出して形成されている。規制部８５は、挿抜方向に延在して形成されており、挿抜方向における長さは、ガイドレール５２３の挿抜方向における長さよりも短く形成されている。一対の規制部８５は、メスハウジング５に対してＣＰＡ部材８が挿入されるＣＰＡ部材８の挿入時に、一対のガイドレール５２３，５２３をそれぞれ抱え込み、一対のガイドレール５２３，５２３の下が方向側に位置することで、メスハウジング５に対するＣＰＡ部材８のメスハウジング５に対する上方向への移動を規制しつつ、ＣＰＡ部材８のメスハウジング５に対する挿抜方向への移動を許容する。
【００４２】
ここで、一対の規制部８５，８５および一対のガイドレール５２３，５２３は、嵌合状態において、メスハウジング５に対してＣＰＡ部材８が初期位置と嵌合保証位置との間を移動する検知部材移動状態において、一対のガイドレール５２３，５２３にそれぞれ接触することで、弾性変形した状態において検知突起部が上方向の移動が規制されるように形成されている。また、一対の規制部８５，８５は、メスハウジング５に対してＣＰＡ部材８が嵌合保証位置に位置した保証位置状態において、一対のガイドレール５２３，５２３による上方向の移動の規制が解除されるように形成されている。具体的には、規制部８５は、挿抜方向に延在して形成されており、挿抜方向における長さは、ガイドレール５２３の挿抜方向における長さよりも短く形成されている。つまり、一対の規制部８５，８５および一対のガイドレール５２３，５２３は、保証位置状態において、メスハウジング５に対してＣＰＡ部材８が幅方向周りに回転可能に形成されている。
【００４３】
防水パッキン９は、図２に示すように、嵌合状態においてオスハウジング２とメスハウジング５との間の隙間に介在することで、外部から嵌合空間部２ａに水などの液体が浸入することを抑制するものである。防水パッキン９は、リング状に形成されており、内部に形成された挿入空間部９ａにメスハウジング５の内側本体部５１１が挿抜方向に沿って挿入される。
【００４４】
次に、ＣＰＡコネクタ１の組み付け、すなわち嵌合について説明する。オスコネクタＭＣの組み付けについて説明する。まず、作業員は、図２および図３に示すように、本体部２１の抜去方向端部に形成された開口から電線Ｗ１が接続されたオス端子３を各端子挿入室にそれぞれ挿入して、挿入された各オス端子３をランスにより係止し、各オス端子３をオスハウジング２の内部で保持することで、各オス端子３をオスハウジング２に組み付ける。次に、作業員は、フロントフォルダ４をオスハウジング２の挿入方向側端部から嵌合空間部２ａに挿入して、フロントフォルダ４を嵌合空間部２ａ内において本体部２１において保持することで、フロントフォルダ４をオスハウジング２に組み付ける。
【００４５】
次に、メスコネクタＦＣの組み付けについて説明する。まず、作業員は、図４、図５に示すように、内側本体部５１１の挿入方向側端部に形成された開口から電線Ｗ２が接続された各メス端子６を各端子挿入室にそれぞれ挿入して、挿入された各メス端子６をランスにより係止し、各メス端子６をメスハウジング５の内部で保持することで、各メス端子６をメスハウジング５に組み付ける。次に、作業員は、防水パッキン９を外側本体部５１２の抜去方向側端部から嵌合空間部５ａに挿入して、挿入空間部９ａに内側本体部５１１を挿入することで、内側本体部５１１により防水パッキン９を保持することで、防水パッキン９をメスハウジング５に組み付ける。次に、作業員は、フロントフォルダ７を外側本体部５１２の抜去方向側端部から嵌合空間部５ａに挿入して、内側本体部５１１をフロントフォルダ７の挿入方向側端部から挿入空間部７ａに挿入して、フロントフォルダ７を嵌合空間部５ａ内において本体部５１に保持することで、フロントフォルダ７をオスハウジング２に組み付ける。
【００４６】
次に、作業員は、ＣＰＡ部材８をメスハウジング５のＣＰＡ部材移動空間部５ｂに挿入して、ＣＰＡ部材８をメスハウジング５に組み付ける。このとき、ＣＰＡ部材８は、一対の規制部８５がロックアーム５２の一対のガイドレール５２３，５２３を抱え込み、ＣＰＡ部材８が一対の規制突起部５５を乗り上げて、輸送位置に位置した状態で組み付けられる。輸送位置では、図５に示すように、一対の規制突起部５５と本体部８１とが挿抜方向において対向することで、メスハウジング５に対するＣＰＡ部材８の挿入方向への移動が規制される。また、メスビーク５３とＣＰＡロック部８３とが挿抜方向において対向することで、メスハウジング５に対するＣＰＡ部材８の抜去方向への移動が規制される。また、輸送位置では、図６に示すように、一対の規制部８５，８５は、一対のガイドレール５２３，５２３の下方向側に位置する。
【００４７】
次に、作業員は、メスコネクタＦＣにオスコネクタＭＣを組み付ける。図９は、実施形態におけるＣＰＡコネクタの嵌合説明図（初期位置）である。図１０は、実施形態におけるＣＰＡコネクタの嵌合説明図（初期位置）である。図１１は、実施形態におけるＣＰＡコネクタの嵌合説明図（嵌合保証位置）である。図１２は、実施形態におけるＣＰＡコネクタの嵌合説明図（嵌合保証位置）である。図１３は、実施形態におけるＣＰＡコネクタの嵌合説明図（仮係止位置）である。図１４は、実施形態におけるＣＰＡコネクタの嵌合説明図（仮係止位置）である。
【００４８】
作業員は、ＣＰＡ部材８が初期位置の状態で、メスハウジング５の内側本体部５１１をオスハウジング２の嵌合空間部２ａに挿入するとともに、オスハウジング２をメスハウジング５の嵌合空間部５ａに挿入する。ここで、メスハウジング５に対するオスハウジング２の挿入方向への挿入が開始されると、まず、オスハウジング２に収容されているオス端子３の先端部が、メスハウジング５に収容されているメス端子６の挿入空間部に挿入され、嵌合力として挿入力が最初に発生する。次に、オス端子３とメス端子６との接続が開始されたあと、オスビーク２３とメスビーク５３とが挿抜方向において離間した状態で対向する。次に、オスビーク２３とメスビーク５３とが挿抜方向において対向したあと、メスビーク５３の乗り越え面５３ａとオスビーク２３の被乗り越え面２３ｂとが接触する。メスビーク５３は、乗り越え面５３ａが被乗り越え面２３ｂと接触しながら上方向に弾性変形し、オスビーク２３の上面２３ａに乗り上げる。メスビーク５３は、オスビーク２３の上面２３ａを抜去方向に移動し、オスビーク２３と離間突起部２４との間に、弾性復帰することで入り込む。これにより、図９に示すように、メスビーク５３がオスビーク２３と離間突起部２４との間に位置し、係止状態となり、オスハウジング２とメスハウジング５とが嵌合状態となる。
【００４９】
次に、作業員は、係止状態においてＣＰＡ部材８をメスハウジング５に対して初期位置から抜去方向に移動させて、嵌合保証位置まで移動させる。ＣＰＡ部材８は、初期位置において、ＣＰＡロック部８３は、オスビーク２３の上面２３ａと接触している。ＣＰＡ部材８は、オスビーク２３の上面２３ａを抜去方向に移動し、ＣＰＡロック部８３とメスビーク５３の案内面５３ｃと接触する。ＣＰＡロック部８３は、案内面５３ｃと接触しながら抜去方向に移動することで、ロックアーム８２が上方向に弾性変形し、メスビーク５３の上面５３ｂに乗り上げる。さらに、ＣＰＡロック部８３は、メスビーク５３の上面５３ｂを抜去方向に移動し、上面５３ｂから離間突起部２４の上面２４ａに乗り移り、接触端部５１３ａがＣＰＡ部材８の本体部８１の抜去方向側端部８１ｂと接触する。ＣＰＡ部材８は、嵌合状態であることを条件に、初期位置から嵌合保証位置まで移動することとなり、メスコネクタＦＣとオスコネクタＭＣとの嵌合を検知することができるとともに、嵌合が保証される。ここで、メスハウジング５に対してＣＰＡ部材８が初期位置から嵌合保証位置まで移動する検知部材移動状態において、一対の規制部８５，８５は、一対のガイドレール５２３，５２３の下方向側に位置し、一対のガイドレール５２３，５２３と接触するので、弾性変形した状態であるＣＰＡロック部８３の上方向への移動が規制される。
【００５０】
また、嵌合保証位置に位置した保証位置状態において、一対の規制部８５，８５は、一対のガイドレール５２３，５２３による上方向の移動の規制が解除される。つまり、保証位置状態においては、メスハウジング５に対してＣＰＡ検知部材８が幅方向周りに回転可能となる。一方、保証位置状態においては、ＣＰＡロック部８３が弾性変形した状態で離間突起部２４と接触している。従って、ＣＰＡロック部８３は、メスハウジング５に対するＣＰＡ検知部材８の回転が許容されているため、弾性復帰することができる。これにより、図１１および図１２に示すように、ＣＰＡ部材８がメスハウジング５に対して上方向に回転し、ＣＰＡロック部８３は、回転する前と比較して、弾性変形が抑制、あるは完全に弾性復帰できるまで、ＣＰＡロック部８３がメスハウジング５に対して上方向に回転することができる場合は、弾性変形状態が解除される。
【００５１】
ここで、一対の規制部８５，８５および一対のガイドレール５２３，５２３は、幅方向から見た場合において、接触端部５１３ａと、保証位置状態における一対の規制部８５，８５の挿入方向側における端部８５ａとの距離Ｌが、幅方向から見た場合において、接触端部５１３ａと、一対のガイドレール５２３，５２３の抜去方向側の端部５２３ａ，５２３ａとの距離Ｌｈよりも長く（Ｌ＞Ｌｈ）なるように形成されている。従って、保証位置状態においては、一対の規制部８５，８５の端部８５ａと一対のガイドレール５２３，５２３の端部５２３ａとが上下方向において対向する。つまり、保証位置状態においては、ＣＰＡ部材８がメスハウジング５に対して上方向に回転しても、一対の規制部８５，８５の一部がガイドレール５２３，５２３の下方向側に位置し、ガイドレール５２３，５２３に対して一対の規制部８５，８５の一部が引っかかっている状態となる。
【００５２】
作業員は、例えば、オスハウジング２とメスハウジング５との嵌合状態を解除する場合などにおいて、ＣＰＡ部材８を嵌合保証位置から仮係止位置まで移動させる。作業員は、嵌合保証位置において、メスハウジング５に対して上方向に回転しているＣＰＡ部材８を挿入方向に移動させる。このとき、ＣＰＡ部材８は、一対の規制部８５，８５の一部がガイドレール５２３，５２３の下方向側に位置しているので、メスハウジング５に対して挿入方向に移動しながら、メスハウジング５に対して下方向に回転する。従って、ＣＰＡロック部８３は、ＣＰＡ部材８が嵌合保証位置から挿入方向に移動すると、弾性変形した状態で、オスビーク２３の上面２３ａを抜去方向に移動し、上面２３ａからメスビーク５３の上面５３ｂに乗り移り、上面５３ｂを抜去方向に移動し、案内面５３ｃに乗り移り、案内面５３ｃを抜去に移動し、オスビーク２３の上面２３ａに乗り移り、本体部８１の挿入方向側端部が第２アーム部５２２と接触することで、図１３および図１４に示すように、仮係止位置まで移動する。ここで、メスハウジング５に対してＣＰＡ部材８が嵌合保証位置から仮係止位置まで移動する検知部材移動状態において、一対の規制部８５，８５は、一対のガイドレール５２３，５２３の下方向側に位置し、一対のガイドレール５２３，５２３と接触するので、弾性変形した状態であるＣＰＡロック部８３の上方向への移動が規制される。
【００５３】
以上のように、本実施形態におけるＣＰＡコネクタ１によれば、嵌合状態において、検知部材移動状態において、一対の規制部８５，８５が一対のガイドレール５２３，５２３にそれぞれ接触することで、弾性変形した状態においてＣＰＡロック部８３が上方向の移動が規制され、保証位置状態において、一対のガイドレール５２３，５２３に対する一対の規制部８５，８５の上方向の移動の規制が解除されるので、ＣＰＡロック部８３が弾性変形状態から弾性復帰することができ、ＣＰＡ部材８が保証位置状態におけるＣＰＡロック部８３の塑性変形を抑制することができる。これにより、ＣＰＡ部材８を嵌合保証位置から仮係止位置まで移動させ、仮係止位置から再び嵌合保証位置まで移動させても、ＣＰＡロック部８３の塑性変形を抑制することができるので、ＣＰＡ部材８が嵌合保証位置から繰り返し移動しても、ＣＰＡ部材８としての機能が低下することを抑制することができる。また、保証位置状態において、ＣＰＡロック部８３の塑性変形を抑制することができるので、ＣＰＡロック部８３の弾性変形状態を軽減することを目的として、初期位置から嵌合保証位置までにおけるＣＰＡロック部８３のストローク量を増加させることを抑制することができる。例えば、ＣＰＡロック部８３の弾性変形状態を軽減するために、ＣＰＡロック部８３を離間突起部２４のうち、上面２４ａよりもＣＰＡロック部８３の弾性変形状態を軽減できる離脱側面２４ｃ（傾斜面）まで移動させた位置を嵌合保証位置とすると、初期位置から嵌合保証位置までにおけるＣＰＡロック部８３のストローク量が増加するが、ＣＰＡロック部８３が嵌合保証位置において弾性復帰することができれば、ＣＰＡロック部８３のストローク量の増加を抑制することができる。
【００５４】
また、本実施形態におけるＣＰＡコネクタ１は、幅方向から見た場合において、接触端部５１３ａと、端部８５ａとの距離Ｌが、接触端部５１３ａと、端部５２３ａとの距離Ｌｈよりも長いので、ＣＰＡ部材８を嵌合保証位置から仮係止位置まで移動させる際に、一対の規制部８５，８５を一対のガイドレール５２３，５２３の下方向側に位置させる作業が不要となる。従って、ＣＰＡ部材８を嵌合保証位置から仮係止位置まで容易に移動させることができる。
【符号の説明】
【００５５】
１  ＣＰＡコネクタ（コネクタ）
２  オスハウジング（第一コネクタハウジング）
２３  オスビーク（係止突起部）
３  オス端子（第一端子）
４  フロントハウジング
５  メスハウジング（第二コネタクハウジング）
５２３  ガイドレール
５３  メスビーク（被突起部）
６  メス端子（第二端子）
７  フロントフォルダ
８  ＣＰＡ部材（検知部材）
８１  本体部
８２  ロックアーム
８３  ＣＰＡロック部（検知突起部）
８４  リブ
８５  規制部
９  防水パッキン
ＦＣ  メスコネクタ
ＭＣ  オスコネクタ
Ｗ１，Ｗ２  電線
ＷＨ  ワイヤハーネス
【図１】
2020177758.tif 000003
【図２】
2020177758.tif 000004
【図３】
2020177758.tif 000005
【図４】
2020177758.tif 000006
【図５】
2020177758.tif 000007
【図６】
2020177758.tif 000008
【図７】
2020177758.tif 000009
【図８】
2020177758.tif 000010
【図９】
2020177758.tif 000011
【図１０】
2020177758.tif 000012
【図１１】
2020177758.tif 000013
【図１２】
2020177758.tif 000014
【図１３】
2020177758.tif 000015
【図１４】
2020177758.tif 000016